(57)【要約】【課題】制御基板ケースを開封した際に、制御基板ケースが一見して開封されたことが認識できる遊技機の制御基板ケース、及びこの制御基板ケースを備える遊技機を提供する。【解決手段】  蓋体６０及び／またはケース体５０の表面に固定部８０に繋がる密閉状態の空間部Ａ１、Ａ２、Ａ３である密閉空間部を形成し、密閉空間部内の一部に、液体状の着色部材Ｉを充填し、固定部８０の固定が解除されることにより密閉空間部の密閉状態が開放され、着色部材Ｉが密閉空間部の一部以外の空隙へ流動する。【選択図】  図９
2014000224.tif 000002
【特許請求の範囲】
【請求項１】
遊技に係る制御を行うための制御基板が収容された透過性のケース体と、このケース体を閉鎖する透過性の蓋体とを備え、前記ケース体及び前記蓋体にそれぞれ設けた固定部を所定の固定手段により固定することによって、収容した前記制御基板を保護するための制御基板ケースであって、
前記蓋体及び／または前記ケース体の表面に前記固定部に繋がる密閉状態の空隙である密閉空間部を形成し、前記密閉空間部内の一部に液体状の着色部材を充填し、前記固定部の固定が解除されることにより前記密閉空間部の密閉状態が開放され、前記着色部材が前記密閉空間部の一部以外の前記空隙へ流動することを特徴とする遊技機の制御基板ケース。
【請求項２】
前記蓋体に前記固定部と同様の固定部を有するカバー体を設けることによって前記蓋体と前記カバー体の間に前記空隙を形成し、前記カバー体、前記ケース体及び前記蓋体にそれぞれ設けた前記固定部を前記固定手段により固定することによって、前記空隙を前記密閉空間とすることを特徴とする請求項１に記載の遊技機の制御基板ケース。
【請求項３】
前記蓋体に、前記空隙を前記固定部側の第１空間部と前記固定部側とは反対側の第２空間部とに分断するように前記空隙内に前記着色部材を充填可能な着色部材充填部を設け、
前記蓋体及び前記ケース体からなる前記空隙を形成するための空隙形成ユニットに、前記第２空間部を開放するための小孔を設け、
前記第１空間部は所定方向の寸法をＴ１とし、
前記第２空間部は前記所定方向の寸法を極めて薄いＴ２をなすものとし、
前記着色部材が前記着色部材充填部に充填された状態で、前記第１空間部が密閉状態のとき、前記固定部の固定状態が解除されることにより前記第１空間部の密閉状態が開放され、前記着色部材が前記着色部材充填部から前記第２空間部へ流動することを特徴とする請求項２に記載の遊技機の制御基板ケース。
【請求項４】
前記小孔を前記蓋体及び前記ケース体における相対的に背面側に位置する側に設けたことを特徴とする請求項３記載の遊技機の制御基板ケース。
【請求項５】
前記空隙形成ユニットにおける前記固定部は、前記カバー体における前記第１空間部側の端部に設けた筒状の第１固定部と、前記蓋体における前記第１空間部側の端部に設けた筒状であって、その内形が前記第１固定部の外形より若干大寸の第２固定部とを含み、前記第１固定部を前記第２固定部に重ねることによって、前記第１固定部と前記第２固定部との間に前記第１空間部に連通する第３空間部を形成し、前記第１固定部及び前記第２固定部を含む前記固定部を前記固定手段により固定することによって前記第３空間部を密閉することを特徴とする請求項３または４記載の遊技機の制御基板ケース。
【請求項６】
請求項１〜５のいずれかに記載の制御基板ケースを備えることを特徴とする遊技機。
【発明の詳細な説明】
【技術分野】
【０００１】
本発明は、遊技機の動作を制御するための制御基板を収容しうる制御基板ケース、及びこの制御基板ケースを備える遊技機に関する。
【背景技術】
【０００２】
従来、パチンコ機（弾球遊技機）やスロットマシン（回動式遊技機）等の遊技機においては、遊技全体を制御するＣＰＵ、ＲＡＭ、ＲＯＭ等の電子部品を実装した制御基板を収容した蓋体とケース体とからなる基板ボックスを、開放して制御基板の電子部品を不正に交換する行為を防止するために、基板ボックスを封印シールなどで封印等をしていた。しかし、例えば、このような封印方法では、基板ボックスを開放する際に、封印シールにおいて目立たない箇所を切断したり、封印シールを丁寧に剥がし（特殊な糊溶融剤使用）、作業後に封印を復旧させたりすることで、封印状態を一見しただけでは開封したことが発見できないような状態をつくられてしまう虞があった。
【０００３】
そこで、遊技機の基板ボックスにおいて、インクを利用した封止部を設けるものがある。この封止部は、基板ボックスを開放する際に、破損してインクが流出するものであって、その内部にインクカプセルをインサート成型により封入したものである（特許文献１）。このような構成にすることによって、たとえ封止部を丁寧に切断しても、インクが流出して、他の部材に付着したり、封止部からインクがなくなっていたりするため、切断痕跡が明瞭に残る。
【先行技術文献】
【特許文献】
【０００４】
【特許文献１】特開２００１−３１４６２４号公報
【発明の概要】
【発明が解決しようとする課題】
【０００５】
しかし、上記特許文献１の遊技機の基板ボックスでは、封止部が基板ボックスの端部に設けられているため、封止部が切断されてインクが流出したとしても基板ボックスを俯瞰して見た際に、その切断痕跡、換言すると開放状態が目立たない可能性がある。
【０００６】
本発明は、上述のような従来の課題に鑑み、封止した基板ボックスを開封した際に、基板ボックスが開封されたことを一見して認識できる遊技機の基板ケース装置、及びこの基板ケース装置を備える遊技機を提供することを目的とする。
【課題を解決するための手段】
【０００７】
(１) 遊技に係る制御を行うための制御基板が収容された透過性のケース体と、このケース体を閉鎖する透過性の蓋体とを備え、前記ケース体及び前記蓋体にそれぞれ設けた固定部を所定の固定手段により固定することによって、収容した前記制御基板を保護するための制御基板ケースであって、前記蓋体及び／または前記ケース体の表面に前記固定部に繋がる密閉状態の空隙である密閉空間部を形成し、前記密閉空間部内の一部に液体状の着色部材を充填し、前記固定部の固定が解除されることにより前記密閉空間部の密閉状態が開放され、前記着色部材が前記密閉空間部の一部以外の前記空隙へ流動する。
【０００８】
上記（１）項の構成によれば、制御基板ケースの密閉空間部内の一部に液体状の着色部材（例えば、インク等）を充填し、固定手段（例えば、ねじ止めや超音波溶着等）による制御基板ケースの固定部の固定を解除することによって、密閉空間部が開放され、非密閉状態となるため、密閉空間部内の気圧の状態により一定の状態で保持されていた着色部材が保持されず、例えば、重力等により流動する。これにより、制御基板ケース内の着色部材が、充填時の状態（密閉空間部内の一部に保持されていた状態）とは異なる状態であることを一見して認識することができ、制御基板ケースが開封されたことを容易に発見することができる。
【０００９】
(２) 上記(１)項において、前記蓋体に前記固定部と同様の固定部を有するカバー体を設けることによって前記蓋体と前記カバー体の間に前記空隙を形成し、前記カバー体、前記ケース体及び前記蓋体にそれぞれ設けた前記固定部を前記固定手段により固定することによって、前記空隙を前記密閉空間とする。
【００１０】
上記（２）項の構成によれば、カバー体、ケース体及び蓋体の各固定部を固定手段により固定することによって、密閉空間部を形成することができる。従って、カバー体、ケース体又は蓋体の何れかの固定が解除されると、密閉空間部が開放され、上記（１）において一定の状態で保持されていた着色部材（例えばインク）が流動するようになるため、確実に制御基板ケースの開封を発見することができる。
【００１１】
(３) 上記(２)項において、前記蓋体に、前記空隙を前記固定部側の第１空間部と前記固定部側とは反対側の第２空間部とに分断するように前記空隙内に前記着色部材を充填可能な着色部材充填部を設け、前記蓋体及び前記ケース体からなる前記空隙を形成するための空隙形成ユニットに、前記第２空間部を開放するための小孔を設け、前記第１空間部は所定方向の寸法をＴ１とし、前記第２空間部は前記所定方向の寸法を極めて薄いＴ２をなすものとし、前記着色部材が前記着色部材充填部に充填された状態で、前記第１空間部が密閉状態のとき、前記固定部の固定状態が解除されることにより前記第１空間部の密閉状態が開放され、前記着色部材が前記着色部材充填部から前記第２空間部へ流動する。
【００１２】
上記（３）項の構成によれば、着色部材を、毛細管現象を利用しての流動させるため、着色部材を広範囲に拡散可能となり、開放の際の着色部材の視認性が向上し、確実に制御基板ケースの開封を発見することができる。
【００１３】
(４) 上記(３)項において、前記小孔を前記蓋体または前記ケース体における相対的に背面側に位置する側に設ける。
【００１４】
上記（４）項の構成によれば、表面側の蓋体またはケース体のいずれか一方に遮られて、背面側の蓋体またはケース体のいずれか他方に設けられた小孔の開口が外部から塞がれることを防止することができ、基板ケース装置４０を開封した際に、外部からの影響を受けず確実にインクを第２空間部内へ流動させることができる。
【００１５】
(５) 上記（３）または(４)項において、前記空隙形成ユニットにおける前記固定部は、前記カバー体における前記第１空間部側の端部に設けた筒状の第１固定部と、前記蓋体における前記第１空間部側の端部に設けた、筒状であって、その内形が前記第１固定部の外形より若干大寸の第２固定部とを含み、前記第１固定部を前記第２固定部に重ねることによって、前記第１固定部と前記第２固定部との間に前記第１空間部に連通する第３空間部を形成し、前記第１固定部及び前記第２固定部を含む前記固定部を前記固定手段により固定することによって前記第３空間部を密閉する。
【００１６】
上記（５）項の構成によれば、制御基板ケースを固定するための第１固定部及び第２固定部の間に第１空間部に連通する第３空間部を設けることによって、固定部が破壊されたりする等により固定が解除されると、第３空間部及び第３空間部に連通した第１空間部の密閉状態が開放されるため、第２間空間部に着色部材が流動する。これにより、制御基板ケースの端部に設けられた固定部を破壊されたとしても、着色部材が第２空間部内を流動（拡散）するため、制御基板ケースの開封の発見が容易となる。
【００１７】
(６) 遊技機は、上記(１)〜(５)項のいずれかにおける制御基板ケースを備えるものとする。
【００１８】
上記（６）項の構成によれば、この制御基板ケースを備えた遊技機においては、制御基板ケースに対する不正行為の有無を確実に発見することができる。
【発明の効果】
【００１９】
本発明によれば、制御基板ケースを開封した際に、制御基板ケースが一見して開封されたことが認識できる。
【図面の簡単な説明】
【００２０】
【図１】本発明の制御基板ケースを備える遊技機の正面図である。
【図２】同じく遊技機の背面図である。
【図３】本発明の制御基板ケースの正面図（封止及び封印状態）である。
【図４】図３におけるＵ−Ｕ線における断面図である。
【図５】図４におけるＷ範囲の拡大図である。
【図６】同じくＸ範囲の拡大図である。
【図７】図３におけるＶ範囲における拡大図である。
【図８】本発明の制御基板ケースの正面図（開封状態）である。
【図９】図８におけるＱ−Ｑ線における断面図である。
【図１０】図９におけるＹ範囲の拡大図である。
【図１１】同じくＺ範囲の拡大図である。
【図１２】同じくＺ範囲の封止部が切断された状態を示す拡大図である。
【発明を実施するための形態】
【００２１】
以下、本発明の一実施形態を、図面に基づいて説明する。なお、以下に説明する本実施形態の遊技機は例示であって、特許請求の範囲に記載された本発明の範囲を制限するものではない。また、本実施形態の遊技機は、パチンコ機（弾球遊技機）であるが、本発明はパチンコ機に限らず、スロットマシン（回動式遊技機）等を含むものでもよい。
なお、以下の遊技機１の正面側に係る説明においては、「方向」を、遊技者が相対する側である正面側を基準として定義する。即ち、遊技者が相対する側、即ち、手前側を「正面（前）」、奥側を「裏面（後）」とし、同じく右側を「右」とし、同じく左側を「左」とする。
【００２２】
（遊技機）
図１及び図２に示すように、遊技機１は、外郭を形成して遊技場の島設備に設置される縦長矩形枠状の外枠２と、外枠２に開き戸状に開閉自在に取り付けられた、合成樹脂で形成された内枠３と、内枠３の内側に装着され盤面に円形の遊技領域（図示省略）を形成した遊技盤１０と、内枠３の前面に開き戸状に開閉自在に取り付けられ、遊技盤１０を前方から視認可能なように中央に大きく透明板４ａが設けられた前扉４と、前扉４の下方に配置され、払い出される遊技球を貯留して、遊技盤１０の下側に設けられる発射装置（図示省略）へ供給可能な上皿５と、上皿５の直下にあって、上皿５で貯留しきれなくなった溢れ球を貯留し、また、遊技球の発射装置への供給を一時的に保留するために遊技球を貯留可能な下皿６と、下皿６の右方に水平軸回りに回転可能に設けられ、発射装置と電気的に接続されて打球の発射力を回転操作によって調整可能とする発射ハンドル７と、前扉４の左右両側に配設され、点灯、消灯及び点滅する照明装置８と、同じく左右上部及び左下部に配設され、効果音を出力するスピーカ９とが設けられる。
【００２３】
（制御基板等）
図２に示すように、遊技機１の裏面側には、遊技の主となる制御基板として主制御基板３０、副制御基板３２等が設けられる。
【００２４】
主制御基板３０（制御基板）は、ＣＰＵ、予め定められた制御プログラムを格納するＲＯＭ、生成された処理情報を一時記憶し、記憶した情報の削除を行うＲＡＭ等から構成される。主制御基板３０は、後述する基板ケース装置４０（制御基板ケース）に封止状態で収容され、遊技盤１０の背面に設けられたセット板３Ａに取付けられる。
ここでいう「封止」とは、開放可能な部材（例えば、基板ケース装置）に対して、開放することによって不可逆性の痕跡が残るようにする処理等のことであって、「封止状態」とはその処理等を施した対象物の状態のこという。また、「封止」及び「封止状態」は、「封印」及び「封印状態」とは異なり、封止する際に対象物に印を付すものではない。本実施形態の遊技機においては、基板ケース装置４０を、後述する封止部８０、ワンウェイ螺旋１００、インクI等によって封止し、基板ケース装置４０を、封印シールＳを用いて封印するようになっている。
主制御基板３０は、遊技機１全体を制御するための各種処理を実行し、その処理結果に応じ、遊技を制御するための各種の制御コマンドを演算処理して出力する。また、主制御基板３０は遊技状態を移行制御可能であり、遊技の初期状態である通常状態や、通常状態よりも遊技球の払出しを受ける機会が多い有利遊技状態等に移行可能とする。
【００２５】
副制御基板３２は、主制御基板３０からの制御コマンドを受信して、照明装置８、スピーカ９、９、９等の演出装置などへ制御コマンドを送信して、演出に係る制御を行う。副制御基板３２は制御基板ケース３５に収容され、主制御基板３０よりも上方に取付けられる。
【００２６】
次に、遊技機の裏面側に設けられた基板ケース装置４０について説明する。なお、以下の説明においては、構成を説明するための「方向」を遊技機の裏面側を基準として定義する。即ち、裏面側から遊技機を臨んで、手前側を「正面または表面（前）」、奥側を「裏面（後）」とし、同じく右側を「右」とし、同じく左側を「左」とする。また、基板ケース装置４０の各構成部材についても、上記と同様の基準とする。
【００２７】
（基板ケース装置４０）
図３及び図４に示すように、基板ケース装置４０（制御基板ケース）は、主制御基板３０を収容するための基板ボックス４０Ａと、基板ボックス４０Ａの表面に設けられるカバー部材７０と、基板ボックス４０Ａ及びカバー部材７０のそれぞれの一側面から突出し、後述するワンウェイ螺子１００（固定手段）の締付けにより基板ボックス４０Ａ及びカバー部材７０を分離不可能とするための封止部８０（固定部）と、基板ボックス４０Ａの他側面から突出して後述する封印シールＳが貼付される貼付部９０により構成される。基板ケース装置４０はインク（着色部材）によって封止状態を形成する。
【００２８】
（基板ボックス４０Ａ）
主に図４に示すように、基板ボックス４０Ａは、主制御基板３０の裏面側を覆う基板ベース５０（ケース体）と、基板ベース５０に組み付けられ主制御基板３０を収容するための基板ケース６０（蓋体）とから構成される。基板ボックス４０Ａは、基板ベース５０と基板ケース６０とをスライドさせて組み合わせることによって内部に主制御基板３０を収容する空隙を形成するようになっている。なお、基板ボックス４０Ａの一方側にヒンジ等を設けて扉のように開閉するようにしてもよい。
また、基板ベース５０に主制御基板３０を収容して、基板ケース６０によって基板ベース５０を閉鎖するようにしてもよい。
【００２９】
（基板ベース５０）
図３及び図４に示すように、基板ベース５０は、左右方向が長辺、上下方向が短辺となるような長矩形状の底板５１と、底板５１の周縁部から前方へ突出して形成された側壁５２とによって、正面及び左側が開放した略箱型をなしている。また、基板ベース５０は、外部から内部を視認可能とするために透過性の合成樹脂等で形成される。
さらに、図３に示すように、上下の側壁５２の前端部にはそれぞれ基板ベース５０の内側（下方向または上方向）へ突出する爪部５４が設けられる。基板ケース６０を基板ベース５０の左方向からスライドして組み合わせることによって、基板ケース６０が爪部５４に係合して前方への移動が規制され、さらに、右側壁５２に当接して右方向への移動が規制され、互いに組み合った仮組み状態となる。
【００３０】
基板ベース５０の右側部には、基板ベース５０を遊技機１のセット板３Ａ（図２参照）に固定するためのロックピン（図示省略）が挿通する取付部５５が設けられる。
基板ベース５０の右側部でかつ取付部５５の上方には、基板ケース装置４０を封止状態に閉塞するための後述する封止部８０のうち、第１封止部８２が設けられる。
基板ベース５０の左側部には、後述する封印シールＳが貼付される貼付部９０のうちの第１貼付部９２が設けられる。第１貼付部９２は、基板ベース５０の当該左側部から左方へ突出するように設けられる。
【００３１】
（基板ケース６０）
図３及び図４に示すように、基板ケース６０は、外形が基板ベース５０の内形と同形または若干小形をなしており、左右方向が長辺、上下方向が短辺となるような長矩形状の天板６１と、天板６１の周縁部から後方へ突出して形成された側壁６２によって、裏面が開放した略箱型をなしている。基板ベース５０に基板ケース６０をスライドさせて組み合わせることにより、側壁５２及び側壁６２は互いに接合または組み合って、基板ケース６０を閉鎖するようになっている。
【００３２】
図３に示すように、基板ケース６０の前面下部には、基板ケース６０の長辺方向へ並列するようにコネクタ用孔部６０ａが複数設けられる。コネクタ用孔部６０ａは、基板ケース４０に収容された主制御基板３０に設けられるコネクタＣが基板ケース４０の外側に露出させるために設けられており、外側に露出したコネクタＣは、他の構成部材に接続されたハーネス（図示省略）と接続可能となる。
図４に示すように、基板ケース６０の裏面側には、主制御基板３０を固定するための取付け螺子Ａの被螺合部をなすボス６３が設けられる。主制御基板３０は、ＣＰＵ等の実装面が前方を臨むように基板ケース６０の裏面側に固定される。
【００３３】
基板ケース６０の右側部において、基板ベース５０と基板ケース６０とを組み合わせた際に基板ベース５０の第１封止部８２に対向する位置に、封止部８０のうちの第２封止部８４（第２固定部）が設けられる。
基板ケース６０の左側部には、貼付部９０のうちの第２貼付部９４が設けられる。第２貼付部９４は、基板ケース６０の左側部から左方へ突出するように設けられる。
【００３４】
基板ケース６０の表面側には、後述するカバー部材７０が嵌合可能な略長矩形状に凹んだ第１凹状領域６５が形成されている。
第１凹状領域６５の左側端部には、基板ボックス４０Ａ内（非密閉状態）と第２空間部Ａ２を連設する小孔７４（図５参照）が形成されている。
図６及び図７に示すように、第１凹状領域６５内の第２封止部８４の近辺には、インクＩを貯留するために円凹状に形成されたインク貯留部６４（着色部材充填部）が設けられている。このインク貯留部６４を境に右方には、第２凹状領域６６が、左方には第３凹状領域６７がそれぞれ形成されている。
【００３５】
図３及び図７に示すように、第２凹状領域６６は、インク貯留部６４の右方に封止部８０に連設するように形成されており、インク貯留部６４の直径と同寸の幅Ｗ１を有する比較的小面積の領域である。
【００３６】
第３凹状領域６７は、インク貯留部６４の左方に形成され、インク貯留部６４に隣接し第２凹状領域６６の幅（上下方向）Ｗ１と同寸の幅Ｗ２を有するインク吸引領域６７ａと、インク吸引領域６７ａのさらに左方に、基板ケース６０の表面側の面積の大半を占める比較的大面積の領域であるインクＩを拡散するためのインク拡散領域６７ｂとを有している。
【００３７】
図４に示すように、第２凹状領域６６及び第３凹状領域６７は、それぞれ凹みの深さが異なっており、その深さは、第３凹状領域６７＜第２凹状領域６６という関係となっている。さらに、第３凹状領域６７において、インク拡散領域６７ｂ＜インク吸引領域６７ａというように設定してもよい。
【００３８】
（カバー部材７０）
図３に示すように、カバー部材７０は、上述の第１凹状領域６５に嵌合可能なように、第１凹状領域６５と同寸または若干小形になるように略長矩形状平板状をなすように形成されている。
図６及び図７に示すように、カバー部材７０の表面には、カバー部材７０を基板ケース６０の第１凹状領域６５に嵌合させた際、インク貯留部６４に対向する位置に、インクＩを充填するためのインク充填部７２が設けられる。インク充填部７２は、円凹状をなす嵌合凹部７２ａと、その嵌合凹部７２ａの底部に前後方向へ貫通する充填孔７２ｂとから構成される。即ち、充填孔７２ｂはカバー部材７０を前後方向へ貫通している。
嵌合凹部７２ａに嵌合可能な栓Ｐを設ける。栓Ｐには、嵌合凹部７２ａに嵌合した際に充填孔７２ｂに連通するインク充填孔（図示省略）が設けられ、その先端部に充填したインクＩの逆流を防止する逆止弁（図示省略）が設けられる。この構成により、栓Ｐのインク充填孔から、注入器Ｔ（図６参照）等によりインクＩを逆流させることなく、確実にインク貯留部６４へ充填することができる。また、インクＩをインク貯留部６４に充填した後、嵌合凹部７２ａに栓Ｐを嵌合することによって、インクＩのインク充填部７２からの流出を確実に防ぐことができる。
【００３９】
カバー部材７０の右側部において、基板ケース６０にカバー部材７０を嵌合させた際に基板ケース６０の第２封止部８４に対向する位置に、封止部８０のうちの第３封止部８６（第１固定部）が設けられる。
カバー部材７０は、第１凹状領域６５に嵌合し、周囲を溶着または接着される。
【００４０】
（空隙）
図４に示すように、カバー部材７０は、基板ケース６０の第１凹状領域６５に嵌合すると、第１凹状領域６５とカバー部材７０との接地面が密接した状態となり、第２凹状領域６６及び第３凹状領域６７とカバー部材７０との間にそれぞれ所定の空隙が形成されるようになっている（空隙形成ユニットは、基板ケース６０及びカバー部材７０から構成される）。当該空隙において、第２凹状領域６６内に形成される空隙を第１空間部Ａ１とし、第３凹状領域６７に形成される空隙を第２空間部Ａ２とする。さらに、第３凹状領域６７のうち、インク吸引領域６７ａに形成される空隙をインク吸引空間部Ａ２ａとし、インク拡散領域６７ｂに形成される空隙をインク拡散空間部Ａ２ｂとする。
【００４１】
カバー部材７０は、上述の通り平板状をなしているため、第１空間部Ａ１の厚さ（Ｔ１）及び第２空間部Ａ２の厚さ（Ｔ２）は、第２凹状領域６６及び第３凹状領域６７の凹みの深さに依存している（図６参照）。従って、空隙の厚さ（前後方向の寸法）は、第２空間部Ａ２＜第１空間部Ａ１という関係性を有する。また、上記のように、インク貯留部６４に隣接する第２凹状領域６６及び第３凹状領域６７の各幅Ｗ１、Ｗ２は同寸となっているため、これらの空隙の断面積は、各凹みの深さの関係と同様に、第２空間部Ａ２＜第１空間部Ａ１という関係性を有する。
また、上記のように凹みの深さがインク拡散領域６７ｂ＜インク吸引領域６７ａと設定する場合は、これらの空隙の断面積も、インク拡散空間部Ａ２ｂ＜インク吸引空間部Ａ２ａという関係性を有するものとなる。
なお、第２凹状領域６６、第３凹状領域６７をカバー部材７０側に設け、基板ケース６０を平板状としてもよい。
【００４２】
ここで、本発明の実施形態の遊技機の基板ケース装置４０においては、後述する封止部８０の開封に基づいて、インク貯留部６４に貯留されたインクを第２空間部Ａ２に流動させるようになっているが、インクＩを流動させるために「毛細管現象」を採用している。従って、その効果を十分に発揮するためインクＩが流動する第２空間部Ａ２を極めて薄く（前後方向）形成している。また、上述した基板ケース６０の小孔７４により、第２空間部Ａ２は開放された状態となり、毛細管現象により第２空間部Ａ２内をインクIが流動する際に、第２空間部Ａ２内の大気を外部へ逃がすことができる。従って、小孔７４はこの目的を達成することができれば、設けられる位置は基板ケース６０に限定されず、第２空間部Ａ２を開放可能な個所であればよい。
しかし、この構成上、例えば、小孔７４の開口を意図して塞ぐことにより、第２空間部Ａ２の密閉状態を保持してインクIの流動を妨げたまま基板ケース装置４０を開封することが可能となってしまうが、本発明の実施形態の遊技機の基板ケース装置４０は、図６及び図９に示すように、小孔７４を基板ケース６０に設けることによって、外部側のカバー部材７０に遮られて外部から小孔７４が塞がれることを防止することができるため、基板ケース装置４０を開封した際に、外部からの影響を受けず確実にインクを第２空間部Ａ２へ流動させることが可能となる。よって、小孔７４を基板ケース６０に設けることがより好適であるといえる。
なお、小孔７４を基板ケース６０の左側端部に設けているが、流動したインクＩがこの小孔７４から流出しない程度の位置に設ければよく、左側端部に限定するものではなく、かつ複数あってもよい。
各図において、第２空間部Ａ２は前後方向の寸法を説明するために、実際の寸法よりも大となるように記載されているが、上述の通り前後方向に極めて薄く形成されている。
【００４３】
（ワンウェイ螺子１００）
主に図６に示すように、ワンウェイ螺子１００（固定手段）は、ねじ軸の中位部に周回りに形成された係止溝１００ａが形成されている。
ワンウェイ螺子１００は、封止部８０に所定の位置までねじ止めされると、係止溝１００ａが後述する第１封止部８２に固着された離脱防止ワッシャー８５に係合するため、抜け方向の移動が阻止される。即ち、ワンウェイ螺子１００は、所定の位置まで締め付けられると工具等で緩めることができないようになっている。
【００４４】
（封止部８０）
主に図６に示すように、封止部８０（固定部）は、基板ベース５０に設けられた第１封止部８２、基板ケース６０に設けられた第２封止部８４、カバー部材７０に設けられた第３封止部８６から構成される。基板ベース５０、基板ケース６０及びカバー部材７０を互いに組み合わせると、第１封止部８２、第２封止部８４、及び第３封止部８６は互いが前後方向に重畳するようになっている。
本実施形態の遊技機では、封止部８０はワンウェイ螺子１００によって共締めされて固定される。
【００４５】
（第１封止部８２）
主に図３に示すように、第１封止部８２は、ワンウェイ螺子１００が螺合可能な筒孔８２０を有する前後方向の有底筒状をなしており、基板ベース５０の右側端部に上下方向へ２つ並設されている。
【００４６】
主に図６に示すように、第１封止部８２に形成された筒孔８２０は、前端部が拡径する拡径部８２０ａと拡径部８２０ａに隣接する縮径部８２０ｂとからなる段付き孔状をなしている。拡径部８２０ａには後述する離脱防止ワッシャー８５の内側の折れ曲がり部分が収容可能となっており、縮径部８２０ｂには、ワンウェイ螺子１００が螺合可能な螺子溝（図示省略）が形成されている。
【００４７】
第１封止部８２における前端部には、筒孔８２０と同心の拡径鍔部８２１が形成されている。拡径鍔部８２１の前面には円凹状の凹部８２１ａが設けられる。凹部８２１ａには、第２封止部８４の後側を保護するための保護部材８３が嵌合するようになっている。
【００４８】
保護部材８３は円盤状であって、高強度の合成樹脂等で形成されており、その中心には、ワンウェイ螺子１００が挿通可能な挿通孔８３ａを設けている。また、保護部材８３の前面には、第２封止部８４と保護部材８３との接地部を保護するための正面視半円状の保護壁８３ｂが、第２封止部８４の後端部の半周囲を囲むように突出して設けられている。保護壁８３ｂは、封止部８０において構造体として分離した第１封止部８２と第２封止部８４との間の脆弱なＣ３位置（図１１参照）からの破壊を防止することができる。
【００４９】
保護部材８３と凹部８２１ａとの間には、ワンウェイ螺子１００のねじの谷の径と同寸の挿通孔８５ａを有する離脱防止ワッシャー８５が設けられる。離脱防止ワッシャー８５は、その外側が保護部材８３と凹部８２１ａとの間に挟持されて凹部８２１ａに固着（溶着）されており、その内側（挿通孔８５ａの周囲）が後方へ折れ曲がるように形成されている。
【００５０】
ワンウェイ螺子１００によって前方から封止部８０をねじ止めする際に、ワンウェイ螺子１００は離脱防止ワッシャー８５に螺合しながら挿通する。そして、ワンウェイ螺子１００を、離脱防止ワッシャー８５がワンウェイ螺子１００の係止溝１００ａ内に位置する所定位置まで締め付けると、挿通孔８５ａの周囲には後方を向く所謂「かえし」が形成されているため、この「かえし」によって、ワンウェイ螺子１００を緩め方向へ回転させても、離脱防止ワッシャー８５の挿通孔８５ａには再度螺合させることは不可能となり、係止溝１００ａがこの「かえし」部分に係合するため、ワンウェイ螺子１００は抜け方向（前方）への移動が阻止される。
【００５１】
（第２封止部８４）
主に図３に示すように、第２封止部８４は、後述する第３封止部８６と組み合う前後方向の略筒状をなしており、基板ベース５０と基板ケース６０とを組み合わせた際に、基板ベース５０の右側端部の第１封止部８２に対応する位置に、上下方向へ２つ並設されている。
【００５２】
主に図６に示すように、第２封止部８４に形成された筒孔８４０は、後述する第３封止部８６の外形よりも若干大形をなしており、前側に形成された大径部８４０ａと、後側に形成され大径部８４０ａよりも小径の小径部８４０ｂと、大径部８４０ａ及び小径部８４０ｂの間に形成され前方から後方へ向かって漸次縮径するテーパー部８４０ｃとから形成されている。
第１封止部８２と第２封止部８４とを組み合わせたとき、第１封止部８２の保護壁８３ｂが第２封止部８６の後側部の外側の周囲を囲むことにより、第１封止部８２と第２封止部８４との間の脆弱な部位を保護する。
【００５３】
（第３封止部８６）
主に図３に示すように、第３封止部８６は、ワンウェイ螺子１００が挿入可能な前後方向の略筒状をなしており、基板ケース６０とカバー部材７０とを組み合わせた際に、カバー部材７０の右側端部の第２封止部８６に組み合う位置に、上下方向へ２つ並設されている。
【００５４】
主に図６に示すように、第３封止部８６に形成された筒孔８６０は、前側に形成されワンウェイ螺子１００の螺子頭が挿通可能な大径部８６０ａと、後側に形成され大径部８６０ａよりも小径であって、ワンウェイ螺子１００のねじ先及びねじ中央部が挿通可能な小径部８６０ｂと、大径部８６０ａと小径部８６０ｂとの間に形成され前方から後方へ向かって漸次縮径するテーパー部８６０ｃとから形成される。
【００５５】
第３封止部８６は、外形が第２封止部８４をほぼ一回り小形にした形状となっており、第２封止部８４に第３封止部８６を組み合わせると、第２封止部８４と第３封止部８６との間に第３空間部Ａ３を形成するようになっている。また、第３空間部Ａ３は上述の第１空間部Ａ１と連通している。
【００５６】
第３封止部８６の前端部には、封止部８０に螺合したワンウェイ螺子１００を外部から接触出来ないようにするための保護蓋８７が固着される（図７参照）。
一方、第３封止部８６の後端側にあって、第２封止部８４及び第３封止部８６と保護部材８３との間には、第２封止部８４及び第３封止部８６をワンウェイ螺子１００によって第１封止部８２に組み付けたときに、第３空間部Ａ３の保護部材８３側を密閉状態とするためのシール部材８９を設ける。
【００５７】
封止部８０を上記のような構造とすることにより、第２封止部８４及び第３封止部８６を、保護部材８３、離脱防止ワッシャー８５及びシール部材８９を介在させて前方からワンウェイ螺子１００により第１封止部８２に組み付けると、ワンウェイ螺子１００は、係止溝１００ａが離脱防止ワッシャー８５に係合することにより、離脱することができなくなる。即ち、基板ケース装置４０において、封止部８０をワンウェイ螺子１００で組み付けることによって、ワンウェイ螺子１００または封止部８０を破壊しなければ開封できない（開封する際には破壊等の痕跡が残る）第１封止状態を形成することができる。
【００５８】
さらに、基板ケース装置４０において第１封止状態を形成し、第２封止部８４及び第３封止部８６の間に形成された第３空間部Ａ３と第３空間部Ａ３と連通した第１空間部とをインクＩが充填された状態において密閉空間とする。充填されたインクＩは第１空間部Ａ１側が密閉されているため、インクＩの貯留状態（初期位置、初期状態）は維持され、インク貯留部６４から他の空隙（第１空間部Ａ１及び第２空間部Ａ２）に流出することはない。この密閉空間が開放されると、即ち、第１封止状態を開封すると、インク貯留部６４に貯留されたインクＩは、毛細管現象により、第１空間部Ａ１より空間部の幅が狭い第２空間部Ａ２へ流出する。これにより、図８、図９に示すように、第２空間部Ａ２にインクＩが拡散するため、基板ケース装置４０の正面から、透過性のカバー部材７０を透してインクＩが拡散している様子が視認できる。即ち、上記構成により、封止部８０を開封した際に、第１空間部Ａ１及び第３空間部Ａ３の密閉が開封されて、第２空間部Ａ２にインクＩが拡散して開封した痕跡を残す第２封止状態を形成することができる。
なお、この封止部８０は、図１１に示すようにＡ線、Ｂ線、Ｃ線部分のいずれを切断したとしても、第１封止状態及び第２封止状態が開封されたことになる。
【００５９】
（貼付部９０）
図３及び図４に示すように、貼付部９０は、第１貼付部９２と第２貼付部９４から構成されており、基板ケース装置４０の左端部から突出するように設けられている。基板ケース装置４０を開放する際には、第１貼付部９２と第２貼付部９４とに分離するようになっている。
【００６０】
（封印シールＳ）
封印シールＳは、貼り付け面に予め粘着剤等が塗布されている長矩形状のシールであって、ＩＣタグ（図示省略、以下同じ）が内蔵されている。封印シールＳは、一旦貼り付けると、その後で封印シールＳを剥がしても、剥がした痕跡Ｍが残る仕様となっている。なお、このＩＣタグは、固有の識別情報が記憶されたＩＣチップ（図示省略、以下同じ）と、アンテナ（図示省略）とを備えており、ＩＣチップに記憶された識別情報はリーダー機によって読み取りが可能となっている。
【００６１】
主に図３及び図４に示すように、封印シールＳは、基板ベース５０と基板ケース６０とが少なくとも仮組み状態であって、第２貼付部９４及び第２貼付部９４を接合させた状態において、第１貼付部９２から、第２貼付部９４に跨って貼付されるものである。
このように、貼付部９０に貼付することによって印を付し、基板ケース６０をスライドさせて基板ベース５０から基板ケース６０を開放する際に、封印シールＳは剥がれて痕跡を残す封印状態を形成することができる。
【００６２】
（インクＩ）
上述したように、本実施形態の遊技機の基板ケース装置４０においては、インクＩ（着色部材）を用いて基板ケース装置４０の封止状態を成し得ている。より具体的には、痕跡を残すための空隙へのインクＩの拡散を、毛細管現象を利用している。この毛細管現象を利用してインクを拡散させるために、水性のインクを用いる場合は、親水性の基板ケース６０及びカバー部材７０を用いるのがよく、油性のインクを用いる場合は、親油性の基板ケース６０及びカバー部材７０を用いるのがよい。
【００６３】
（基板ケース装置４０の封印）
基板ケース装置４０の封印について説明する。
基板ケース６０の裏面に主制御基板３０を固定し、当該基板ケース６０を基板ベース５０に対してスライドさせて組み付けて基板ケース装置４０を仮組み状態とする。さらに、基板ケース６０の第１凹状領域６５にカバー部材７０を嵌合させることによって、第１空間部Ａ１及び第２空間部Ａ２を形成させるとともに、第１封止部８２、第２封止部８４、及び第３封止部８６が前後方向に重畳し、各筒孔８２０、８４０、８６０が連通した状態とする。ワンウェイ螺子１００を封止部８０に螺合して、第３空間部Ａ３の周囲を封鎖するとともに、第１封止状態を形成する。
【００６４】
この状態でインクＩを注射器等でインク充填部７２からインク貯留部６４へ充填し、基板ケース装置４０の第２封止状態が形成する。さらに、貼付部９０における、第１貼付部９２から第２貼付部９４へ跨って封印シールＳを貼付する封印状態を形成する。
このように、本実施形態の遊技機の基板ケース装置４０においては、以上の手順で第１封止状態、第２封止状態及び封印シールＳによる封印状態を形成することによって、全体を封止（封印）状態としている。
【００６５】
（基板ケース装置４０の開封）
次に、封印状態の基板ケース装置４０が不正に開封される状態について説明する。
例えば、図１１に示す切断線Ｃで封止部８０（ワンウェイ螺子１００）を切断すると、第１封止状態は開封状態となり、第３空間部Ａ３の密閉状態が開放されるとともに第１空間部Ａ１の密閉状態が開放される。図８〜図１２に示すように、第１空間部Ａ１の開放に伴って、インク貯留部６４に貯留されたインクＩは第２空間部Ａ２へ流出する。特に図８に示すように、インクＩは、毛細管現象により第２空間部Ａ２内を拡散するため、正面から基板ケース装置４０を一見するだけで第２封止状態が開封されたことを認識することができる。
さらに、基板ケース６０をスライドさせて基板ベース５０から基板ケース６０を開放すことによって、封印シールＳは剥がれて痕跡を残し、封印状態が開封されたことが判別できるようになっている。
【００６６】
以上、本発明の一実施形態について説明したが、本発明の要旨を逸脱しない範囲内で、本実施形態に対して、次のような種々の変形や変更を施すことが可能である。なお、上述の本発明の一実施形態、及び下記変形例におけるそれぞれの構成要件及び遊技上の条件等を組み合わせることが可能である。
【００６７】
（第１変形例）
基板ケース装置において、第２封止状態を形成する構成要件のみを実装する。即ち、第１封止状態を形成する封止部８０及びワンウェイ螺子１００をそれぞれ単なる取付け孔及び取付け螺子（可逆性）に代えるとともに、封印状態を形成する貼付部９０及び封印シールＳを実装しなくてもよい。
最小限の構成で封印状態を形成することが可能であるため、部品点数を減少させ、製造コストを削減することができる。
【００６８】
（第２変形例）
水等に反応して色が変化し、または、文字や図柄が浮かび上がるようなスポンジ（繊維）構造体等（図示省略）を第２空間部Ａ２に配置する。その場合は、インクIの変わりに水等を用いる。
スポンジ（繊維）構造体により、第２空間部Ａ２を極めて狭い空隙にしなくとも、毛細管現象を効率的に利用でき、繊維と繊維のすきまを水が浸透してスポンジ構造体の色等が変化することによって封印状態の開封を発見することができる。
【００６９】
（第３変形例）
第２空間部Ａ２の代わりに、基板ケース６０内を蛇行するように形成された径が極小の管状の管状体を設ける。管状体を流動するインクＩによって封印状態の開封を発見することができる。
【００７０】
（第４変形例）
基板ケース６０にカバー部材７０を設けることにより空隙を形成する代わりに、基板ケース６０及び／または基板ベース５０をブロー成型して空隙を予め形成する。
密閉性の高い空隙を形成することができ、かつ、カバー部材７０を設ける必要がなくなり部品点数を減少させることも可能である。
【符号の説明】
【００７１】
Ａ１  第１空間部、Ａ２  第２空間部、Ａ２ａ  インク吸引空間部、Ａ２ｂ  インク拡散空間部、Ａ３  第３空間部、Ｉ  インク、Ｐ  栓、Ｓ  封印シール、Ｔ  注入器、１  遊技機、２  外枠、３  内枠、４  前扉、４ａ  透明板、５  上皿、６  下皿、７  発射ハンドル、８  照明装置、９  スピーカ、１０  遊技盤、１０ａ  遊技領域、３０  主制御基板、３２  副制御基板、３５  制御基板ケース、４０  基板ケース装置、４０Ａ  基板ボックス、５０  基板ベース、５１  底板、５２  側壁、５４  爪部、５５  取付部、６０  基板ケース、６０ａ  コネクタ用孔部、６１  天板、６２  側壁、６３  ボス、６４  インク貯留部、６５  第１凹状領域、６６  第２凹状領域、６７  第３凹状領域、６７ａ  インク吸引領域、６７ｂ  インク拡散領域、７０  カバー部材、７２  インク充填部、７２ａ  嵌合凹部、７２ｂ  充填孔、７４  小孔、８０  封止部、８２  第１封止部、８２０  筒孔、８２０ａ  拡径部、８２０ｂ  縮径部、８２１  拡径鍔部、８２１ａ  凹部、８３  保護部材、８３ａ  挿通孔、８３ｂ  保護壁、８４  第２封止部、８４０  筒孔、８４０ａ  大径部、８４０ｂ  小径部、８４０ｃ  テーパー部、８５  離脱防止ワッシャー、８５ａ  挿通孔、８６  第３封止部、８６０  筒孔、８６０ａ  大径部、８６０ｂ  小径部、８６０ｃ  テーパー部、８７  保護蓋、８９  シール部材、９０  貼付部、９２  第１貼付部、９４  第２貼付部、１００  ワンウェイ螺子、１００ａ  係止溝
【図１】
2014000224.tif 000003
【図２】
2014000224.tif 000004
【図３】
2014000224.tif 000005
【図４】
2014000224.tif 000006
【図５】
2014000224.tif 000007
【図６】
2014000224.tif 000008
【図７】
2014000224.tif 000009
【図８】
2014000224.tif 000010
【図９】
2014000224.tif 000011
【図１０】
2014000224.tif 000012
【図１１】
2014000224.tif 000013
【図１２】
2014000224.tif 000014